(57)【特許請求の範囲】
【請求項１】
転写部材及び感光体が対向配置され、伝動機構が、該感光体の回転を該転写部材に伝動し、該転写部材が、該転写部材及び感光体間に搬送された媒体上に、該感光体上に現像されたトナー像を転写する画像形成装置において、
搬送される媒体の前記転写部材及び感光体間に位置する部分が、媒体の先端部及び後端部に設定された画像を形成しない非画像領域にあるときは、前記伝動機構の動作を禁止する禁止手段を備えることを特徴とする画像形成装置。
【請求項２】
前記伝動機構が、前記感光体の回転を前記転写部材に伝動するとき、該転写部材の周速は、前記感光体の周速の略１．０１乃至１．０５倍とすべくなしてある請求項１記載の画像形成装置。
【請求項３】
前記伝動機構が、前記感光体の回転を前記転写部材に伝動するとき、該転写部材の周速は、前記媒体が次に搬送されるべき定着機構の定着ローラの周速と等しくすべくなしてある請求項１又は２記載の画像形成装置。
【請求項４】
前記転写部材へ印加する転写電圧又は転写電流は、前記禁止手段のオン／オフに合わせて切り替えすべくなしてある請求項１乃至３の何れか１項に記載の画像形成装置。
【請求項５】
前記転写電圧又は転写電流は、前記禁止手段がオンのときとオフのときとでは、極性が同一であり、絶対値が、前記禁止手段がオフのときの方が大きい請求項４記載の画像形成装置。
【請求項６】
前記伝動機構が、前記感光体の回転を前記転写部材に伝動しないときは、該転写部材は、前記媒体を引続き搬送すべき搬送ベルトに従動し、前記転写部材の周速と該搬送ベルトの周速とは等しくすべくなしてある請求項１乃至５の何れか１項に記載の画像形成装置。
【発明の詳細な説明】
【０００１】
【発明の属する技術分野】
本発明は、転写部材及び回転する感光体が対向配置され、感光体の回転が転写部材に伝動され、転写部材が、転写部材及び感光体間に搬送された媒体上に、感光体上に現像されたトナー像を転写する画像形成装置に関するものである。
【０００２】
【従来の技術】
電子写真方式の画像形成装置において転写機構として用いられる転写ローラ方式では、転写ローラの圧接力により、感光体上のトナーが凝縮され、用紙へ転写する際に、トナーが部分的に抜ける現象（文字の中抜け）が発生し易い。この現象を防止する改善策として、感光体の周速に対して、用紙を１〜４％程度速く搬送させ、用紙が感光体上のトナーを擦り取れるように、転写ローラの周速を感光体より速く設定する技術が公知となっている。
このように、周速の比を設定する手段としては、感光体と転写ローラとに回転速度差を設けたギヤ比連結を行うことが一般的である。
【０００３】
また、装置全体の周速の設定は、定着ローラ／搬送ローラが１００％前後であるのに対して、感光体の周速を遅くし、転写ローラを１００％以上に設定することで、感光体部での印字倍率を１００％に合わせるように設定することが一般的である。従って、用紙の搬送速さに対して感光体の周速は遅く、用紙が感光体を擦りながら搬送されるのに対し、転写ローラは、感光体部で用紙が遅れないように、１００％より速い周速に設定され、スリップ搬送状態に設定されている。
【０００４】
上述したような問題を解決する技術として、画像情報の後端部の白部分の情報を画像形成装置の所定範囲に変更して印字する技術が、特開２００１−９８４１公報に開示されている。しかし、この技術では、ユーザが印字したい画像情報が、装置に設定された裏汚れ対策の為に、欠落する虞があり、画像形成装置としての基本条件（印字要求された画像情報を出来るだけ全て印字する。）が守られていない。
【０００５】
また、転写ローラの周速を変化させる技術が、特開平２−２８２７７０号公報に開示されているが、この先行技術の主たる目的は、感光体の周囲に配置されたクリーニング部材のクリーニング性能の向上である。その為、用紙の有無に応じた転写ローラの周速は、感光体上の残留トナーを回収するのに適するように変化させる。従って、画像形成時の転写ローラの周速は、感光体の周速と略等しいが、クリーニング時には、感光体の周速の３０〜８０％又は１３０〜１８０％となる。
【０００６】
つまり、このように大きく転写ローラの周速を変化させると、感光体及び転写ローラ間に用紙が挟みこまれるタイミングの前後における転写ローラの駆動トルクの変動が、転写ローラを常時駆動又は常時従動回転させている場合よりも大きくなってしまい、画像のブレ及び歪みを招来し、形成画像の質が返って悪化する。
【０００７】
【発明が解決しようとする課題】
上述したような転写ローラ方式では、感光体及び転写ローラ間に用紙が無い状態で回転動作する際（前／後回転及び用紙間での回転）、感光体上のカブリトナー（感光体上に付着している薄いトナー層）を転写ローラが吸着し、その吸着したトナーが、用紙通過時に電界集中した用紙エッジ部へ移動し、用紙のエッジ汚れが発生する。この現象は、特に用紙後端が転写部を通過した後、用紙後端が完全に転写ローラから離れる迄の間に、転写ローラの周速が用紙の搬送速度より速い為、擦り付け作用が働き顕著に現れる。（一般的には後端エッジ部のみの問題）
【０００８】
また、上述したような転写ローラ方式では、感光体及び転写ローラ間に用紙が無い状態で回転動作する際、感光体及び転写ローラの周速の差によって、感光体表面の磨耗が進み、感光体の寿命が短縮するという問題がある。
また、感光体及び転写ローラ間の用紙の有無によって、感光体及び転写ローラ間の摺動摩擦抵抗が変化し、用紙の搬送方向に形成画像が伸縮し、ジッタが発生する等の画質劣化の原因となるという問題がある。
また、感光体上のカブリトナーは、本来転写ローラに移転し難い帯電電位特性を有するが、感光体及び転写ローラの周速の差により擦り取る為、転写ローラの汚れも酷くなるという問題もある。
【０００９】
更に、上述したような転写ローラ方式では、用紙が転写ローラに噛み込まれる際（突入する際）の振動が、連結ギヤを介して感光体へと伝わり、現像槽部及びＬＳＵ部での画像書き込みブレが発生するという問題がある。
本発明は、上述したような事情に鑑みてなされたものであり、用紙のエッジ汚れを防止出来る画像形成装置を提供することを目的とする。
また、本発明は、用紙が転写ローラに突入する際の振動により発生する画像書き込みブレを解消することが出来る画像形成装置を提供することを目的とする。また、本発明は、感光体の磨耗を抑制し、寿命短縮を防止出来る画像形成装置を提供することを目的とする。
【００１０】
【課題を解決するための手段】
本発明に係る画像形成装置は、転写部材及び感光体が対向配置され、伝動機構が、該感光体の回転を該転写部材に伝動し、該転写部材が、該転写部材及び感光体間に搬送された媒体上に、該感光体上に現像されたトナー像を転写する画像形成装置において、搬送される媒体の前記転写部材及び感光体間に位置する部分が、媒体の先端部及び後端部に設定された画像を形成しない非画像領域にあるときは、前記伝動機構の動作を禁止する禁止手段を備えることを特徴とする。
【００１３】
この画像形成装置では、転写部材及び感光体が対向配置され、伝動機構が、感光体の回転を転写部材に伝動し、転写部材が、転写部材及び感光体間に搬送された媒体上に、感光体上に現像されたトナー像を転写する。搬送される媒体の転写部材及び感光体間に位置する部分が、媒体の先端部及び後端部に設定された画像を形成しない非画像領域にあるときは、禁止手段は、伝動機構の動作を禁止する。
これにより、用紙のエッジ汚れを防止出来、感光体の磨耗を抑制し、寿命短縮を防止出来る画像形成装置を実現することが出来る。
【００１４】
本発明に係る画像形成装置は、前記伝動機構が、前記感光体の回転を前記転写部材に伝動するとき、該転写部材の周速は、前記感光体の周速の略１．０１乃至１．０５倍とすべくなしてあることを特徴とする。
【００１５】
この画像形成装置では、伝動機構が、感光体の回転を転写部材に伝動するとき、転写部材の周速は、感光体の周速の略１．０１乃至１．０５倍とする構成であるので、用紙へ転写する際の文字の中抜けが発生し難く、用紙のエッジ汚れを防止出来、また、感光体に対して過度の抵抗を与えず、感光体の磨耗を抑制し、寿命短縮を防止出来る画像形成装置を実現することが出来る。
【００１６】
本発明に係る画像形成装置は、前記伝動機構が、前記感光体の回転を前記転写部材に伝動するとき、該転写部材の周速は、前記媒体が次に搬送されるべき定着機構の定着ローラの周速と等しくすべくなしてあることを特徴とする。
【００１７】
この画像形成装置では、伝動機構が、感光体の回転を転写部材に伝動するとき、転写部材の周速は、媒体が次に搬送されるべき定着機構の定着ローラの周速と等しくする構成であるので、転写部での印字ずれが発生せず、他の部材との接触による未定着トナーの乱れ及び装置内への飛散が発生せず、用紙のエッジ汚れを防止出来、感光体の磨耗を抑制し、寿命短縮を防止出来る画像形成装置を実現することが出来る。
【００２０】
本発明に係る画像形成装置は、前記転写部材へ印加する転写電圧又は転写電流は、前記禁止手段のオン／オフに合わせて切り替えすべくなしてあることを特徴とする。
【００２１】
この画像形成装置では、転写部材へ印加する転写電圧又は転写電流は、禁止手段のオン／オフに合わせて切り替えする構成であるので、用紙のエッジ汚れを防止出来、感光体の磨耗を抑制し、寿命短縮を防止出来る画像形成装置を実現することが出来る。
【００２２】
本発明に係る画像形成装置は、前記転写電圧又は転写電流は、前記禁止手段がオンのときとオフのときとでは、極性が同一であり、絶対値が、前記禁止手段がオフのときの方が大きいことを特徴とする。
【００２３】
この画像形成装置では、転写電圧又は転写電流は、禁止手段がオンのときとオフのときとでは、極性が同一であり、絶対値が、禁止手段がオフのときの方が大きいので、用紙のエッジ汚れを防止出来、用紙が転写ローラに突入する際の振動により発生する画像書き込みブレを解消し、感光体の磨耗を抑制し、寿命短縮を防止出来る画像形成装置を実現することが出来る。
【００２４】
本発明に係る画像形成装置は、前記伝動機構が、前記感光体の回転を前記転写部材に伝動しないときは、該転写部材は、前記媒体を引続き搬送すべき搬送ベルトに従動し、前記転写部材の周速と該搬送ベルトの周速とは等しくすべくなしてあることを特徴とする。
【００２５】
この画像形成装置では、伝動機構が、感光体の回転を転写部材に伝動しないときは、転写部材は、媒体を引続き搬送すべき搬送ベルトに従動し、転写部材の周速と搬送ベルトの周速とは等しくするので、転写部での印字ずれが発生せず、用紙と他の部材との接触による未定着トナーの乱れ及び装置内への飛散が発生せず、用紙のエッジ汚れを防止出来、感光体の磨耗を抑制し、寿命短縮を防止出来る画像形成装置を実現することが出来る。
【００２８】
【発明の実施の形態】
以下に、本発明を、その実施の形態を示す図面に基づき説明する。
実施の形態１．
図１は、本発明に係る画像形成装置の実施の形態１の構成を模式的に示す模式図である。この画像形成装置は、その上面に透明なガラス等からなる原稿台７１が設けられており、原稿台７１の下方には、スキャナ部７２及び画像形成機構７３が配置されている。
【００２９】
スキャナ部７２は、原稿台７１の下面に沿って平行に往復移動する走査ユニット７５と、露光ランプ７４と、反射ミラー７６，７７と、光学レンズ７８と、光電変換素子でＣＣＤ（Charge Coupled Device ）７９とにより構成されている。走査ユニット７５は、原稿画像表面を露光する露光ランプ７４によって照射された原稿の反射光像を、最終的にＣＣＤ７９に到達させる為のものであり、原稿台７１の下面に対して一定の距離を保ちながら、所定の走査速度で平行に往復移動する。
【００３０】
反射ミラー７６，７７は、走査ユニット７５からの反射光線を光学レンズ７８へ向けて反射する。反射光線の光路は、図中一点鎖線で示すように、走査ユニット７５→反射ミラー７６→反射ミラー７７→光学レンズ７８の順となっている。光学レンズ７８は、反射ミラー７７からの反射光線像を縮小し、縮小された光像をＣＣＤ７９上の所定位置に結像させる。
ＣＣＤ７９は、結像された光像を順次光電変換して電気信号として出力するラインセンサであり、白黒画像又はカラー画像を読み取り、Ｒ（赤）、Ｇ（緑）、Ｂ（青）の各色成分に色分解したラインデータを出力することが可能な３ラインのカラーＣＣＤである。
【００３１】
ＣＣＤ７９により電気信号に変換された原稿画像情報は、更に、図示しない画像処理部に転送され、所定の画像データ処理が施される。
画像データ処理が施された原稿画像情報は、レーザビームスキャナユニット（以下、ＬＳＵと記す）によりレーザビームに変換され、このレーザビームは、感光体の表面に照射され、静電潜像が形成される。
画像形成機構７３は、スキャナ部７２の下方に配置され、ＬＳＵ１１（図２）、画像形成部８０及びその下方に配置された給紙装置８１から構成されている。給紙装置８１は、給紙カセット８２を備えている。
【００３２】
図２は、画像形成機構７３の構成を模式的に示す模式図である。この画像形成機構７３の画像形成部８０は、感光体ドラム５（感光体）の周面に近接して、その回転方向へクリーナ１４、帯電装置１３、現像装置１２、転写装置１７ａの順に設けられている。
転写装置１７ａは、用紙Ｐ（媒体）の搬送経路上に設けられ、搬送経路の上流側には、同期ローラ１８が設けられ、搬送経路上の転写装置１７ａ及び同期ローラ１８間にはセンサ１６が配置されている。転写装置１７ａの、用紙Ｐの搬送経路の下流側には、搬送ベルト２５が配置され、その更に下流側には、定着ローラ１５からなる定着装置が配置されている。
【００３３】
ＬＳＵ１１（露光装置）は、感光体ドラム５の周面上の帯電装置１３及び現像装置１２間にレーザビームを照射するように配置されている。
ＬＳＵ１１は、ビーム出射手段である複数の半導体レーザと、回点方向に複数の反射面を有する回転多面鏡とから構成されている。半導体レーザから回転多面鏡に向かって照射されたレーザビーム（以下、非走査ビームと記す）は、回転多面鏡の反射面により反射されて、感光体ドラム５の周面上を走査するレーザビーム（以下、走査ビームと記す）となり、感光体ドラム５の周面上に静電潜像を形成する。
【００３４】
感光体ドラム５は、周面に感光体層が塗布形成されたドラムであり、帯電装置１３は、感光体ドラム５に電圧を印加して帯電させるものである。
現像装置１２は、静電潜像が形成された感光体ドラム５の周面上にトナーを供給することにより、静電潜像をトナー像に現像する。
クリーナ１４は、後述する用紙Ｐへのトナー像の転写が終了した後、感光体ドラム５の周面上に残ったトナー（残留トナー）を回収する。
【００３５】
転写装置１７ａは、感光体ドラム５に対向配置された転写ローラ１と、転写ローラ１に電圧又は電流を印加する転写バイアス電源１７とを備えている。
転写ローラ１は、印加された電圧（電流）により、感光体ドラム５の周面上のトナー像を用紙Ｐ（媒体；ＯＨＰ等のシート）上に転写させる。また、転写ローラ１は、感光体ドラム５と共に、転写された用紙Ｐを定着装置の定着ローラ１５へ搬送する機能も有している。印加電流については後述する。
【００３６】
同期ローラ１８は、給紙装置８１から搬送されて来た用紙Ｐを一旦停止させ、感光体ドラム５の画像形成のタイミングに合わせて、感光体ドラム５及び転写ローラ１間に搬送する。
センサ１６は、用紙Ｐが、同期ローラ１８から転写装置１７ａに搬送されているか否かを確認する。
定着装置は、定着ローラ１５，１５を有し、定着ローラ１５は、感光体ドラム５及び転写ローラ１間から排出され、搬送ベルト２５により搬送されて来た用紙Ｐを加熱し、用紙Ｐに転写されていたトナー像を用紙Ｐに定着させる。
【００３７】
給紙装置８１は、給紙カセット８２を備えており、給紙カセット８２に画像形成に使用する用紙Ｐを載置しておき、画像形成時に用紙Ｐの搬送経路に送り出す。給紙カセット８２の搬送経路側の端部には、用紙Ｐを送り出す為の図示しない呼込ローラ及び用紙捌き部（ローラ、摩擦シート部材又は逆転ローラ等）が配置されている。
【００３８】
用紙Ｐの搬送経路には、上流側から、用紙Ｐの通過を検知する為のセンサ１６、センサ１６の検知信号に基づき感光体ドラム５上のトナー像と用紙Ｐの位置合わせを行うレジストローラ、転写ローラ１、搬送ベルト２５、定着ローラ１５，１５、用紙Ｐが定着ローラ１５，１５間を通過したことを検知する為の定着紙検知スイッチ、用紙Ｐが通過したことを検知する為の排紙検知スイッチ、及び転写し定着させた用紙Ｐを排出する為の排紙ローラが配置されている。尚、符号が付加されていない部分は図示を省略している。
用紙Ｐは、画像形成部８０（図１）の側面上部から排出され、給紙装置８１の上方に蓄積される。
【００３９】
上述したような構成である画像形成部８０では、先ず、感光体ドラム５が、帯電装置１３により帯電される。ＬＳＵ１１は、この帯電された感光体ドラム５上にレーザビームを照射し、照射した部分の帯電を除去（除電）し、静電潜像を形成する。
次いで、現像装置１２が、この静電潜像上にトナーを供給して、静電潜像を現像する。
一方、給紙装置８１から用紙Ｐが送り出され、搬送経路に沿って、感光体ドラム５及び転写ローラ１へ搬送される。
【００４０】
搬送された用紙Ｐは、感光体ドラム５及び転写ローラ１間でトナー像を転写された後、搬送ベルト２５により定着ローラ１５，１５間に搬送され、定着ローラ１５，１５間で加熱されて、トナー像が定着される。
尚、用紙Ｐにトナー像を転写する際に、転写されなかったトナーは、クリーナ１４により感光体ドラム５上から回収される。
感光体ドラム５及び転写ローラ１間には、感光体ドラム５の回転を転写ローラ１に伝動する為の後述する伝動機構が設けられ、感光体ドラム５及び転写ローラ１間の用紙Ｐ上にトナー像が存在するか否かによって、伝動機構がオン／オフされる。
【００４１】
図３は、伝動機構（駆動伝達装置）の構成を示す斜視図である。伝動機構１０は、感光体ドラム５の回転を転写ローラ１に伝動する。感光体ドラム５を駆動する為の駆動ギヤ６と、感光体ドラム５に同軸に取り付けられたギヤ７とが噛合し、感光体ドラム５に同軸に取り付けられた他のギヤ８と、転写ローラ１の回転軸９に同軸に取り付けられた転写ローラギヤ３とが噛合している。
ギヤ８と転写ローラギヤ３との連結比は、転写ローラ１の周速が、感光体ドラム５の周速の略１．０１乃至１．０５倍となるように定めてある。
回転軸９の転写ローラ１及び転写ローラギヤ３間には、感光体ドラム５と転写ローラ１との接触間隔を一定に保つ為の位置出し部材である転写ローラカラー２が同軸に取り付けられている。
【００４２】
転写ローラギヤ３には、電磁クラッチ４（禁止手段）が付加され、電磁クラッチ４は、内蔵する電磁石が励磁されたときは、電磁石が可動鉄片を吸引して、転写ローラギヤ３と回転軸９とを固定する。つまり、電磁クラッチ４は、転写ローラギヤ３の駆動力を回転軸９に伝動するか否かを切り替える。
電磁クラッチ４は、用紙Ｐに画像が形成される期間は励磁され（オン＝禁止手段としてはオフ）、用紙Ｐに画像が形成されない期間は励磁されない（オフ＝禁止手段としてはオン）。
【００４３】
電磁クラッチ４のオン／オフの切り替えは、用紙Ｐが感光体ドラム５及び転写ローラ１間に搬送されてから、用紙Ｐの先端（搬送方向側）のボイド部（非画像形成領域）の間に行われる。これにより、用紙Ｐに画像が形成される間は、電磁クラッチ４がオンになり、感光体ドラム５の駆動力が転写ローラ１に伝動される。また、これにより、用紙Ｐが転写ローラ１に噛み込んだ際に発生する振動は、伝動機構により伝動されない為、感光体ドラム５へ伝わることが無く、画像の書き込みブレを防止出来る。
【００４４】
感光体ドラム５及び転写ローラ１間を用紙Ｐの画像形成領域が通過した後、即ち、用紙Ｐの後端（搬送方向の反対側）のボイド部（非画像形成領域）が、感光体ドラム５及び転写ローラ１間を通過している間に、再び電磁クラッチ４はオフになる。これにより、用紙Ｐの後端が転写ローラ１を抜けた後に、転写ローラ１が、用紙Ｐの後端エッジにトナーを擦り付けることを防止出来る。
【００４５】
即ち、用紙Ｐに画像が形成される間は、転写ローラギヤ３の駆動力が回転軸９に伝動され、転写ローラ１は、感光体ドラム５から駆動力が伝動され、転写ローラ１の周速は、感光体ドラム５の周速より速くなる。これにより、用紙Ｐが、感光体ドラム５の周速より速く搬送され、転写される画像のトナーが部分的に抜ける現象を防止出来る。
また、電磁クラッチ４がオフになると、転写ローラギヤ３の駆動力は、回転軸９に伝動されず、転写ローラ１は、感光体ドラム５との接触部により、感光体ドラム５に従動回転する。
【００４６】
図７に示すように、転写ローラ１の周速Ｖａと搬送ベルト２５（図２）の周速Ｖｂとの関係は、用紙Ｐの画像形成領域が感光体ドラム５及び転写ローラ１間（転写ポイント）に有るときには、Ｖａ≠Ｖｂであるが、用紙Ｐの画像形成領域が感光体ドラム５及び転写ローラ１間に無く、電磁クラッチ４がオフになっているとき（用紙Ｐの画像形成領域通過後）には、転写ローラ１は、図示しないギヤ機構により搬送ベルト２５に従動し、Ｖａ＝Ｖｂとなる。
これにより、用紙Ｐの後端ボイド部において、用紙Ｐが転写ローラ１から引きずられる（用紙剥離ポイントが下がる）ことによる用紙Ｐの裏汚れを防止出来る。
【００４７】
また、電磁クラッチ４がオンになっているとき、転写ローラ１の周速は、感光体ドラム５の周速の略１．０１乃至１．０５倍となっているが、定着ローラ１５，１５の周速も同じ速さに設定する。
これにより、転写における印字ずれを防止出来、他の部材との接触による未定着トナーの乱れ及び装置内への飛散を防止出来る。
【００４８】
図８に示すように、用紙Ｐの先端が、感光体ドラム５及び転写ローラ１間に到達してから、用紙Ｐの画像形成領域が、感光体ドラム５及び転写ローラ１間に到達する迄の間に、電磁クラッチ４をオン（伝動機構オン＝禁止手段オフ）にする。即ち、この間に電磁クラッチ４をオンにする迄は、転写ローラ１の周速Ｖａと、用紙Ｐが搬送される速さＶｄとの関係はＶａ＝Ｖｄであるから、用紙Ｐが感光体ドラム５及び転写ローラ１間に突入する際の回転負荷抵抗の発生を軽減出来、印字ブレを解消出来る。
また、用紙Ｐの画像形成領域が、感光体ドラム５及び転写ローラ１間に有るときには、電磁クラッチ４をオンにして駆動力を伝動することにより、転写ローラ１の周速は、感光体ドラム５の周速の略１．０１乃至１．０５倍となり、現像、露光及び帯電にむらが発生するのを防止出来る。
【００４９】
転写ローラ１へ印加する印加電圧は、図９のタイミングチャートに示すように、用紙Ｐが感光体ドラム５及び転写ローラ１間に到達する若干前のタイミングで、Ｖ0 のレベルから、Ｖ0 より高いＶ1 のレベルに変化させる。次いで、電磁クラッチ４をオンにするときに、印加電圧をＶ1 のレベルから、Ｖ1 より高いＶ2 のレベルに変化させる。尚、比較の為に、従来の印加電圧の制御を、図１０のタイミングチャートに示す。
【００５０】
更に、用紙Ｐの画像形成領域が感光体ドラム５及び転写ローラ１間を通過した後は、電磁クラッチ４をオフ（伝動機構オフ＝禁止手段オン）にするときに、印加電圧をＶ2 のレベルからＶ1 のレベルに変化させ、その後、更にＶ0 のレベルに変化させる。
ここで、印加電圧Ｖ0 ，Ｖ1 ，Ｖ2 は同じ極性であり、印加電圧Ｖ0 はクリーニング電圧であり、印加電圧Ｖ1 はメモリ防止電圧であり、印加電圧Ｖ2 は、感光体ドラム５から用紙Ｐへ、トナー像を転写させる為に必要な転写電圧である。
【００５１】
クリーニング電圧は、転写工程中に感光体ドラム５から転写ローラ１表面に付着したカブリトナーを、転写工程終了後に感光体ドラム５上に戻すべく、転写時とは逆極性の電荷を印加する為の電圧である。実際には、コピー終了後の後回転時、及びＪＡＭ処理後の前回転時等に、転写工程時の電荷とは逆極性の電荷を転写ローラ１に印加する。
【００５２】
メモリ防止電圧は、転写工程時に転写ローラ１から用紙Ｐを介して流れ込む電流量に相当する電流を、連続印字間隔及びコピー開始前に、感光体ドラム５に通電することで、感光体ドラム５の劣化状態を均一にし、帯電バラツキによるコピー途中での濃度変化（前回転時の電流によるメモリ）を防止する為の電圧である。実際には、前回転時と用紙Ｐ間とに、転写工程時より小さく、転写工程時と同極性の電荷を転写ローラ１から印加し、感光体ドラム５に通電する。
【００５３】
図９に示すように、電磁クラッチ４の切り替え、及び印加電圧の制御を行うことにより、図１０のタイミングチャートに示すような従来の印加電圧の制御を行う場合より、用紙Ｐ後端におけるエッジ汚れ、及び用紙Ｐが感光体ドラム５・転写ローラ１間に突入する際の負荷による露光、帯電、現像ブレ（印字ブレ）が解消され、更に、感光体ドラム５の磨耗を抑制することが出来る。
【００５４】
尚、上述した伝動機構１０では、電磁クラッチ４が転写ローラ１側に取り付けられているが、図４に示すように、電磁クラッチ４を感光体ドラム５側のギヤ８に取り付け、伝動機構１０ａを構成しても、電磁クラッチ４の切り替えタイミングは同じであり、画像形成装置の動作は同様である。
このように、電磁クラッチ４は、取り付け位置を限定されることなく、感光体ドラム５及び転写ローラ１間の用紙Ｐの画像形成領域の有無に応じて、感光体ドラム５の駆動力の転写ローラ１への伝動をオン／オフ出来れば、その駆動力の伝達経路の何れの位置に取り付けられても良い。
【００５５】
また、転写ローラ１は、ローラ形状のものに限らず、ベルト形状のもの、即ち転写ベルトであっても良い。
また、電磁クラッチ４の切り替えタイミングを、センサ１６（図２）の検知信号に基づき定めても、画像形成装置の動作を上述した動作と同様にすることが出来る。但し、この場合、電磁クラッチ４は、用紙Ｐが感光体ドラム５及び転写ローラ１間に存在する期間は励磁され（オン）、用紙Ｐが感光体ドラム５及び転写ローラ１間に存在しない期間は励磁されない（オフ）。
【００５６】
また、電磁クラッチ４の切り替えタイミングを、転写ローラ１に転写電圧が印加されるタイミングに基づき定めても良い。
つまり、転写バイアス電源１７が、転写ローラ１に転写電圧を印加する（電流を流す）ということは、感光体ドラム５及び転写ローラ１間の用紙Ｐにトナー像を転写させる為である。従って、電圧印加時を、感光体ドラム５及び転写ローラ１間に用紙Ｐが存在する期間と見做すことが出来る。一方、非電圧印加時を、感光体ドラム５及び転写ローラ１間に用紙Ｐが存在しない期間と見做すことが出来る。
【００５７】
実施の形態２．
図５は、本発明に係る画像形成装置の実施の形態２の伝動機構の構成を示す斜視図である。この伝動機構１０ｂは、感光体ドラム５を駆動する為の駆動ギヤ６と、感光体ドラム５に同軸に取り付けられたギヤ７とが噛合し、感光体ドラム５に同軸に取り付けられた他のギヤ８と、転写ローラ１の回転軸９（シャフト）に同軸に取り付けられた転写ローラギヤ３とが噛合している。
ギヤ８と転写ローラギヤ３との連結比は、転写ローラ１の周速が、感光体ドラム５の周速の略１．０１乃至１．０５倍となるように定めてある。
回転軸９の転写ローラ１及び転写ローラギヤ３間には、感光体ドラム５と転写ローラ１との接触間隔を一定に保つ為の位置出し部材である転写ローラカラー２が同軸に取り付けられている。
【００５８】
転写ローラギヤ３は、回転軸９に挿通され、回転軸９の長さ方向には移動が可能（スライド機構）であるが、回転軸９の回転方向には固定されている。転写ローラギヤ３は、画像形成装置の筐体に固定されたソレノイド２３（禁止手段）の可動フック２２により、回転軸９の長さ方向に変位される。
ソレノイド２３は、交流又は直流の励磁コイルに通電して発生する励磁力で、可動フック２２が往復移動する。
【００５９】
回転軸９の端部には、転写ローラギヤ３が抜け落ちるのを防止する為の固定具２０が設けられ、固定具２０から転写ローラ１までの間に、固定具２０から順に転写ローラギヤ３、バネ２１、転写ローラカラー２が、回転軸９に貫通される状態で取り付けられている。転写ローラギヤ３及びバネ２１は、回転軸９の長さ方向には移動可能であり、転写ローラカラー２は回転軸９に固定されている。その他の画像形成装置の構成は、実施の形態１で説明した画像形成装置の構成（図１、図２）と同様であるので、同一箇所には同一符号を付して説明を省略する。
【００６０】
このような構成の伝動機構１０ｂでは、可動フック２２が、転写ローラギヤ３の固定具２０側の面を引っ掛けて移動し、転写ローラギヤ３を転写ローラカラー２側へ引き付ける。一方、可動フック２２が固定具２０側へ移動すると、バネ２１の反発力により、転写ローラギヤ３が、固定具２０側へ移動する。
感光体ドラム５及び転写ローラ１間に用紙Ｐの画像形成領域が有るとき、可動フック２２が固定具２０側へ移動して、転写ローラギヤ３と感光体ドラム５のギヤ８とが噛合する。これにより、駆動ギヤ６により転写ローラギヤ３も回転し、その回転と共に転写ローラ１も回転する。
【００６１】
一方、感光体ドラム５及び転写ローラ１間に用紙Ｐの画像形成領域が無いとき、可動フック２２が転写ローラギヤ３を引っ掛けて、転写ローラカラー２側へ移動する。これにより、転写ローラギヤ３と感光体ドラム５のギヤ８とが噛合しなくなり、駆動ギヤ６の回転は転写ローラギヤ３に伝動されない。その為、転写ローラギヤ３は回転せず、転写ローラ１も回転しない。従って、このときの転写ローラ１は、感光体ドラム５との接触により、感光体ドラム５の回転に従動（従動回転）する。その他の画像形成装置の動作は、実施の形態１で説明した画像形成装置の動作と同様であるので、説明を省略する。
【００６２】
尚、上述した伝動機構１０ｂでは、スライド機構が転写ローラ１側に取り付けられているが、図６に示すように、スライド機構を感光体ドラム５側に取り付け、伝動機構１０ｃを構成しても、ソレノイド２３の励磁／不励磁の切り替えタイミングは同じであり、画像形成装置の動作は同様である。
伝動機構１０ｃでは、感光体ドラム５の端部のギヤ７から、感光体ドラム５の他の端部へ向かって、バネ固定具２４、バネ２１ａ及びギヤ８が、この順番で感光体ドラム５により貫通されている。
【００６３】
バネ固定具２４は感光体ドラム５に固定され、バネ２１ａ及びギヤ８は、感光体ドラム５の軸方向へ移動可能であり、ギヤ８は、感光体ドラム５の周方向には固定されている。
ギヤ８は、画像形成装置の筐体に固定されたソレノイド２３（禁止手段）の可動フック２２ａにより、感光体ドラム５の軸方向に変位される。その他の伝動機構１０ｃの構成は、上述した伝動機構１０ｂの構成と同様であるので、同一箇所には同一符号を付して、説明を省略する。
【００６４】
このような構成の伝動機構１０ｃでは、可動フック２２ａが、ギヤ８のバネ２１ａの反対側の面を引っ掛けて移動し、ギヤ８をバネ固定具２４側へ引き付ける。一方、可動フック２２ａがバネ固定具２４の反対側へ移動すると、バネ２１ａの反発力により、ギヤ８もバネ固定具２４の反対側へ移動する。
感光体ドラム５及び転写ローラ１間に用紙Ｐの画像形成領域が有るとき、可動フック２２ａがバネ固定具２４側へ移動して、感光体ドラム５のギヤ８と転写ローラギヤ３とが噛合する。これにより、駆動ギヤ６により転写ローラギヤ３も回転し、その回転と共に転写ローラ１も回転する。
【００６５】
一方、感光体ドラム５及び転写ローラ１間に用紙Ｐの画像形成領域が無いとき、可動フック２２ａがバネ固定具２４の反対側へ移動する為、バネ２１ａの反発力により、感光体ドラム５のギヤ８もバネ固定具２４の反対側へ移動し、ギヤ８と転写ローラギヤ３とが噛合しなくなる。これにより、駆動ギヤ６の回転は転写ローラギヤ３に伝動されない。その為、転写ローラギヤ３は回転せず、転写ローラ１も回転しない。従って、このときの転写ローラ１は、感光体ドラム５との接触により、感光体ドラム５の回転に従動（従動回転）する。その他の伝動機構１０ｃの動作は、上述した伝動機構１０ｂの動作と同様であるので、説明を省略する。
【００６６】
【発明の効果】
本発明に係る画像形成装置によれば、用紙のエッジ汚れを防止出来、感光体の磨耗を抑制し、寿命短縮を防止出来る画像形成装置を実現することが出来る。
【００６８】
本発明に係る画像形成装置によれば、用紙へ転写する際の文字の中抜けが発生し難く、用紙のエッジ汚れを防止出来、また、感光体に対して過度の抵抗を与えず、感光体の磨耗を抑制し、寿命短縮を防止出来る画像形成装置を実現することが出来る。
【００６９】
本発明に係る画像形成装置によれば、転写部での印字ずれが発生せず、他の部材との接触による未定着トナーの乱れ及び装置内への飛散が発生せず、用紙のエッジ汚れを防止出来、感光体の磨耗を抑制し、寿命短縮を防止出来る画像形成装置を実現することが出来る。
【００７１】
本発明に係る画像形成装置によれば、用紙のエッジ汚れを防止出来、感光体の磨耗を抑制し、寿命短縮を防止出来る画像形成装置を実現することが出来る。
【００７２】
本発明に係る画像形成装置によれば、用紙のエッジ汚れを防止出来、用紙が転写ローラに突入する際の振動により発生する画像書き込みブレを解消し、感光体の磨耗を抑制し、寿命短縮を防止出来る画像形成装置を実現することが出来る。
【００７３】
本発明に係る画像形成装置によれば、転写部での印字ずれが発生せず、他の部材との接触による未定着トナーの乱れ及び装置内への飛散が発生せず、用紙のエッジ汚れを防止出来、感光体の磨耗を抑制し、寿命短縮を防止出来る画像形成装置を実現することが出来る。
【図面の簡単な説明】
【図１】本発明に係る画像形成装置の実施の形態の構成を模式的に示す模式図である。
【図２】画像形成機構の構成を模式的に示す模式図である。
【図３】伝動機構（駆動伝達装置）の構成を示す斜視図である。
【図４】伝動機構（駆動伝達装置）の構成を示す斜視図である。
【図５】伝動機構（駆動伝達装置）の構成を示す斜視図である。
【図６】伝動機構（駆動伝達装置）の構成を示す斜視図である。
【図７】転写ローラの周速と搬送ベルトの周速との関係を示す説明図である。
【図８】電磁クラッチをオンにするタイミングを示す説明図である。
【図９】転写ローラへの印加電圧の印加タイミングを示すタイミングチャートでる。
【図１０】従来の転写ローラへの印加電圧の印加タイミングを示すタイミングチャートでる。
【符号の説明】
１  転写ローラ
３  転写ローラギヤ
４  電磁クラッチ（禁止手段）
５  感光体ドラム（感光体）
６  駆動ギヤ
７，８  ギヤ
９  回転軸（シャフト）
１０，１０ａ，１０ｂ，１０ｃ  伝動機構
１１  ＬＳＵ（露光装置）
１２  現像装置
１３  帯電装置
１５  定着ローラ
１６  センサ（検知手段）
１７  転写バイアス電源
１７ａ  転写装置
２０  固定具
２１，２１ａ  バネ
２２，２２ａ  可動フック
２３  ソレノイド（禁止手段）
２４  バネ固定具
２５  搬送ベルト
７３  画像形成機構
８０  画像形成部
Ｐ  用紙（媒体）
【図１】
0004014398.tif 000002
【図２】
0004014398.tif 000003
【図３】
0004014398.tif 000004
【図４】
0004014398.tif 000005
【図５】
0004014398.tif 000006
【図６】
0004014398.tif 000007
【図７】
0004014398.tif 000008
【図８】
0004014398.tif 000009
【図９】
0004014398.tif 000010
【図１０】
0004014398.tif 000011